(57)【要約】【課題】本発明は、例えば有機ＥＬ素子によるアクティブマトリックス型の画像表示装置に適用して、発光輝度の劣化の予測精度を従来に比して格段的に向上する。【解決手段】本発明は、画像データの階調を補正して発光輝度を補正する構成において、複数の受光素子の受光結果を用いて、マスタ劣化カーブ上の表示時間に換算した各階調の単位時間の劣化量を逐次更新し、画像データの階調に応じてこの単位時間の劣化量を累積して発光輝度を補正する。【選択図】        図１
2010139837.tif 000002
【特許請求の範囲】
【請求項１】
自発光素子により画像データを表示する画像表示パネルと、
前記画像表示パネルの出射光を受光する受光素子と、
前記受光素子の受光結果を処理して、前記画像表示パネルで表示する前記画像データの階調を補正する輝度補正部とを有し、
前記輝度補正部は、
前記受光結果に基づいて、前記自発光素子の発光輝度の時間変化を示すマスタ劣化カーブを生成するマスタ劣化カーブ生成部と、
前記画像データの所定階調毎に、前記自発光素子を単位時間駆動した場合の劣化量を、前記マスタ劣化カーブ上の表示時間に換算した劣化量で記録した階調／劣化量変換テーブルと、
前記階調／劣化量変換テーブルを検索して前記画像データの階調に対応する劣化量を検出する劣化量算出部と、
前記劣化量算出部で検出した劣化量を累積して累積の劣化量を算出する累積劣化量算出部と、
前記累積の劣化量に対応する表示時間の劣化量を、前記マスタ劣化カーブから検出して前記画像データの補正量を設定する補正量決定部とを有し、
前記受光素子が、発光輝度の異なる自発光素子の出射光をそれぞれ受光する複数の受光素子であり、
前記補正量決定部は、
前記複数の受光素子の受光結果に基づいて、前記階調／劣化量変換テーブルを更新する変換テーブル更新部を有する
画像表示装置。
【請求項２】
前記画像表示パネルは、
マトリックス状に前記自発光素子を配置して画像表示部が形成され、前記画像表示部以外の部位にダミーの自発光素子が複数配置され、
前記複数の受光素子は、
前記ダミーの自発光素子の出射光をそれぞれ受光する受光素子である
請求項１に記載の画像表示装置。
【請求項３】
前記変換テーブル更新部は、
前記マスタ劣化カーブの階調に対する階調の比率を底に設定した加速度係数によるべき乗により、前記自発光素子を単位時間駆動した場合の劣化量を、前記マスタ劣化カーブ上の表示時間に換算した劣化量を計算し、前記階調／劣化量変換テーブルを更新する
請求項１に記載の画像表示装置。
【請求項４】
前記変換テーブル更新部は、
間欠的に、前記階調／劣化量変換テーブルを更新し、
それまでの前記階調／劣化量変換テーブルの更新に使用した前記加速度係数を使用した演算処理により、前記階調／劣化量変換テーブルの更新に使用する前記加速度係数を計算する
請求項３に記載の画像表示装置。
【請求項５】
前記自発光素子が、有機ＥＬ素子である
請求項３に記載の画像表示装置。
【請求項６】
前記ダミーの自発光素子は、
前記画像表示パネルの裏面側に出射光を出射し、
前記受光素子が、画像表示パネルの裏面側に配置された
請求項３に記載の画像表示装置。
【請求項７】
自発光素子により画像データを表示する画像表示パネルと、
前記画像表示パネルの出射光を受光する受光素子とを備える画像表示装置の駆動方法において、
前記受光素子の受光結果を処理して、前記画像表示パネルで表示する画像データの階調を補正する輝度補正ステップを有し、
前記輝度補正ステップは、
前記受光結果に基づいて、前記自発光素子の発光輝度の時間変化を示すマスタ劣化カーブを生成するマスタ劣化カーブ生成ステップと、
前記画像データの所定階調毎に、前記自発光素子を単位時間駆動した場合の劣化量を、前記マスタ劣化カーブ上の表示時間に換算した劣化量で記録した階調／劣化量変換テーブルを検索し、前記画像データの階調に対応する劣化量を検出する劣化量算出ステップと、
前記劣化量算出ステップで検出した劣化量を累積して累積の劣化量を算出する累積劣化量算出ステップと、
前記累積の劣化量に対応する表示時間の劣化量を、前記マスタ劣化カーブから検出して前記画像データの補正量を設定する補正量決定ステップとを有し、
前記受光素子が、発光輝度の異なる自発光素子の出射光をそれぞれ受光する複数の受光素子であり、
前記補正量決定ステップは、
前記複数の受光素子の受光結果に基づいて、前記階調／劣化量変換テーブルを更新する変換テーブル更新ステップを有する
画像表示装置の駆動方法。
【発明の詳細な説明】
【技術分野】
【０００１】
本発明は、画像表示装置及び画像表示装置の駆動方法に関し、例えば有機ＥＬ（Electro Luminescence）素子等の自発光素子を用いたアクティブマトリックス型の画像表示装置に適用することができる。本発明は、複数の受光素子の受光結果を用いて、マスタ劣化カーブ上の表示時間に換算した各階調の単位時間の劣化量を逐次更新し、画像データの階調に応じてこの単位時間の劣化量を累積して発光輝度を補正することにより、発光輝度の予測精度を従来に比して格段的に向上する。
【背景技術】
【０００２】
近年、有機ＥＬ素子を用いたアクティブマトリックス型の画像表示装置の開発が盛んになっている。ここで有機ＥＬ素子は、発光効率と駆動電流との乗算値で発光輝度が表される電流駆動型の自発光素子である。有機ＥＬ素子を用いたアクティブマトリックス型の画像表示装置は、有機ＥＬ素子と有機ＥＬ素子を駆動する駆動回路とによる画素回路をマトリックス状に配置して有効画素領域である画像表示部が形成され、この画像表示部で所望の画像を表示する。
【０００３】
しかしながら有機ＥＬ素子は、長時間使用すれば使用する程、発光効率が低下する。また有機ＥＬ素子は、この発光効率の低下速度に階調依存性があり、発光輝度が高ければ高い程、発光効率の低下が速くなる。従って有機ＥＬ素子を使用した画像表示装置は、長期間の使用により、発光輝度が低下し、色度が変化する。またコントラストの大きな静止画像を長時間表示すると、いわゆる焼き付きが発生する。そこで例えば特開２００７−１５６０４４号公報には、発光輝度の低下を防止する構成が開示されている。
【０００４】
ここでこの特開２００７−１５６０４４号公報に開示の手法は、画像表示部以外の部位に、モニタ用の有機ＥＬ素子（以下、ダミーの有機ＥＬ素子と呼ぶ）及び受光素子が設けられる。この手法は、このダミーの有機ＥＬ素子における発光輝度の低下を受光素子を用いて検出する。またこの検出結果を使用して、各階調で有機ＥＬ素子を駆動した場合の劣化量を予測する。またこの予測結果を用いて、画像表示部に設けられた有機ＥＬ素子の階調により、画像表示部に設けられた有機ＥＬ素子の発光輝度を予測する。またこの予測結果に基づいて画像データの階調を補正して発光輝度を補正する。
【０００５】
すなわち図７に示すように、所定階調Ｌで発光させた場合の有機ＥＬ素子の発光輝度ｙは、次式で表すことができる。ここでｔは、発光時間である。またｇ（Ｌ、Ｌｏ）は、階調Ｌｏで発光させた場合の発光輝度の低下速度から、階調Ｌで発光させた場合の劣化速度を求める関数であり、劣化速度の階調依存性を示す劣化速度変換関数である。従って劣化速度変換関数ｇ（Ｌ、Ｌｏ）は、階調Ｌが増大するに従って値が増大する。ｙ＝ｆ（ｔ、Ｌｏ）は、発光輝度の補正に使用する基準の劣化カーブであり、以下においてマスタ劣化カーブと呼ぶ。またｙ＝ｆ（ｔ、Ｌ）を階調Ｌの劣化カーブと呼ぶ。なお図７では、発光輝度ｙを正規化して示す。
【０００６】
【数１】
2010139837.tif 000003
【０００７】
特開２００７−１５６０４４号公報に開示の手法は、この（１）式の関係に基づいて、ダミーの有機ＥＬ素子で検出される発光輝度の劣化量（１−ｆ（ｔ、Ｌｏ））に、劣化速度変換関数ｇ（Ｌ、Ｌｏ）を乗算し、各階調で有機ＥＬ素子を駆動した場合の発光輝度の劣化量（１−ｆ（ｔ、Ｌ））を予測する。また画像表示部に設けられた有機ＥＬ素子の階調に応じてこの予測結果を選択して累積し、各画素における発光輝度を予測する。
【特許文献１】特開２００７−１５６０４４号公報
【発明の開示】
【発明が解決しようとする課題】
【０００８】
しかしながらこの特開２００７−１５６０４４号公報に開示の手法は、予測精度の点で実用上未だ不十分な問題がある。
【０００９】
特に、（１）式の関係を利用して各階調における発光輝度の劣化を予測する場合、劣化速度変換関数ｇ（Ｌ、Ｌｏ）に応じてマスタ劣化カーブｙ＝ｆ（ｔ、Ｌｏ）を垂直軸方向に伸縮し、階調Ｌの劣化カーブｙ＝ｆ（ｔ、Ｌ）を求めていることになる。従ってマスタ劣化カーブｙ＝ｆ（ｔ、Ｌｏ）による発光輝度ｙが、時間ｔの増大により値０に接近すると、階調Ｌｏより大きな階調Ｌの劣化カーブｙ＝ｆ（ｔ、Ｌ）は、値０以下に立ち下がる恐れがある。従って従来手法では、物理的な矛盾が発生することになる。
【００１０】
また特開２００７−１５６０４４号公報に開示の手法は、結局、画像表示部に設けられた有機ＥＬ素子の階調の変化により劣化カーブを選択して劣化量を予測していることになる。従ってたまたま所定の時点で劣化量が等しい有機ＥＬ素子が複数存在し、これら複数の有機ＥＬ素子を同一の階調で駆動している場合であっても、これら複数の有機ＥＬ素子で劣化量が等しいことを担保できない場合が発生する。この場合も、従来手法では、物理的に矛盾が発生することになる。
【００１１】
本発明は以上の点を考慮してなされたもので、発光輝度の予測精度を従来に比して格段的に向上することができる画像表示装置及び画像表示装置の駆動方法を提案しようとするものである。
【課題を解決するための手段】
【００１２】
上記の課題を解決するため請求項１の発明は、画像表示装置に適用して、自発光素子により画像データを表示する画像表示パネルと、前記画像表示パネルの出射光を受光する受光素子と、前記受光素子の受光結果を処理して、前記画像表示パネルで表示する画像データの階調を補正する輝度補正部とを有する。ここで前記輝度補正部は、前記受光結果に基づいて、前記自発光素子の発光輝度の時間変化を示すマスタ劣化カーブを生成するマスタ劣化カーブ生成部と、前記画像データの所定階調毎に、前記自発光素子を単位時間駆動した場合の劣化量を、前記マスタ劣化カーブ上の表示時間に換算した劣化量で記録した階調／劣化量変換テーブルと、前記階調／劣化量変換テーブルを検索して前記画像データの階調に対応する劣化量を検出する劣化量算出部と、前記劣化量算出部で検出した劣化量を累積して累積の劣化量を算出する累積劣化量算出部と、前記累積の劣化量に対応する表示時間の劣化量を、前記マスタ劣化カーブから検出して前記画像データの補正量を設定する補正量決定部とを有する。ここで前記受光素子が、発光輝度の異なる自発光素子の出射光をそれぞれ受光する複数の受光素子であり、前記補正量決定部は、前記複数の受光素子の受光結果に基づいて、前記階調／劣化量変換テーブルを更新する変換テーブル更新部を有する。
【００１３】
また請求項７の発明は、自発光素子により画像データを表示する画像表示パネルと、前記画像表示パネルの出射光を受光する受光素子とを備える画像表示装置の駆動方法に適用する。ここで前記受光素子の受光結果を処理して、前記画像表示パネルで表示する画像データの階調を補正する輝度補正ステップを有する。前記輝度補正ステップは、前記受光結果に基づいて、前記自発光素子の発光輝度の時間変化を示すマスタ劣化カーブを生成するマスタ劣化カーブ生成ステップと、前記画像データの所定階調毎に、前記自発光素子を単位時間駆動した場合の劣化量を、前記マスタ劣化カーブ上の表示時間に換算した劣化量で記録した階調／劣化量変換テーブルを検索し、前記画像データの階調に対応する劣化量を検出する劣化量算出ステップと、前記劣化量算出ステップで検出した劣化量を累積して累積の劣化量を算出する累積劣化量算出ステップと、前記累積の劣化量に対応する表示時間の劣化量を、前記マスタ劣化カーブから検出して前記画像データの補正量を設定する補正量決定ステップとを有する。ここで前記受光素子が、発光輝度の異なる自発光素子の出射光をそれぞれ受光する複数の受光素子であり、前記補正量決定ステップは、前記複数の受光素子の受光結果に基づいて、前記階調／劣化量変換テーブルを更新する変換テーブル更新ステップを有する。
【００１４】
請求項１又は請求項７の構成によれば、マスタ劣化カーブ上の表示時間に換算した劣化量を累積し、対応する表示時間の劣化量を、マスタ劣化カーブから検出することにより、マスタ劣化カーブによる発光輝度が、時間の増大により値０に接近して、これより大きな階調における発光輝度が値０以下となる物理的な矛盾の発生を防止することができる。また各画素が如何なる劣化量となっても、マスタ劣化カーブ上で劣化量を予測することになる。従って所定の時点で劣化量が等しくなり、同一の階調で駆動している有機ＥＬ素子が実在する場合に、これらの有機ＥＬ素子の劣化量が等しいことを確実に担保することができる。従って従来手法による物理的な矛盾を有効に回避し得、発光輝度の劣化の予測精度を従来に比して格段的に向上することができる。これらの前提において、階調／劣化量変換テーブルを固定値としたのでは、自発光素子のばらつき等に十分に対応し得ず、発光輝度の予測精度が劣化することになる。これに対して請求項１又は請求項７の構成によれば、階調の異なる複数の受光結果に基づいて階調／劣化量変換テーブルを更新することから、このような自発光素子のばらつき等についても対応可能に階調／劣化量変換テーブルを設定して予測精度を向上することができる。
【発明の効果】
【００１５】
本発明によれば、発光輝度の予測精度を従来に比して格段的に向上することができる。
【発明を実施するための最良の形態】
【００１６】
以下、適宜図面を参照しながら本発明の実施の形態を詳述する。なお説明は、以下の順序で行う。
１．第１の実施の形態
２．第２の実施の形態
３．第３の実施の形態
４．変形例
＜第１の実施の形態＞
〔実施の形態の構成〕
図２は、本発明の第１の実施の形態の画像表示装置を示す図である。この画像表示装置１は、輝度補正部２を介して入力される画像データＤ１で画像表示パネル３を駆動して所望の画像を表示する。
【００１７】
ここで画像表示パネル３は、画素回路５をマトリックス状に配置して有効画素領域である画像表示部４が作成される。画素回路５は、自発光素子である有機ＥＬ素子６と、有機ＥＬ素子６を駆動する駆動回路とにより作成される。さらに画像表示パネル３は、画像表示部４以外の部位に、ダミーの画素回路５ＤＡ及び５ＤＢが複数設けられ、このダミーの画素回路５ＤＡ及び５ＤＢによりそれぞれダミーの有機ＥＬ素子６ＤＡ及び６ＤＢが複数設けられる。この実施の形態では、この複数のダミーの有機ＥＬ素子６ＤＡ及び６ＤＢに、２つの有機ＥＬ素子６ＤＡ及び６ＤＢが適用される。
【００１８】
ここでＡ−Ａ線により断面を取って図２（Ｂ）に示すように、このダミーの有機ＥＬ素子６ＤＡ及び６ＤＢは、画像表示パネル３の裏面側に出射光を出射するように作成される。より具体的に、この画像表示パネル３において、画像表示部４の有機ＥＬ素子６は、トップエミッション方式で作成されるのに対し、ダミーの有機ＥＬ素子６ＤＡ及び６ＤＢは、ボトムエミッション方式で作成される。なおダミーの画素回路５ＤＡ及び５ＤＢ、有機ＥＬ素子６ＤＡ及び６ＤＢがボトムエミッション方式により作成される点を除いて、画像表示部４の画素回路５と同一に作成される。この図２において、符号Ｌ１、Ｌ１ＤＡ及びＬ１ＤＢは、有機ＥＬ素子６、６ＤＡ及び６ＤＢの出射光である。
【００１９】
画像表示パネル３は、ダミーの有機ＥＬ素子６ＤＡ及び６ＤＢの出射光Ｌ１ＤＡ及びＬ１ＤＢをそれぞれ受光する受光素子７Ａ及び７Ｂが、画像表示パネル３の裏面側に配置される。なお受光素子７Ａ及び７Ｂは、例えはフォトダイオードであり、例えば透明接着材を用いた接着により配置される。画像表示装置１は、輝度補正部２により、ダミーの有機ＥＬ素子６ＤＡ及び６ＤＢを駆動し、受光素子７Ａ及び７Ｂの受光結果によりこの有機ＥＬ素子６ＤＡ及び６ＤＢの発光輝度を一定の時間間隔で計測する。また計測した発光輝度に基づいて、輝度補正部２により、画像データＤ１の階調を補正して画像表示パネル３に出力し、発光輝度の低下を補正する。
【００２０】
〔輝度補正部の詳細構成〕
図１は、輝度補正部２の詳細構成を示すブロック図である。なお輝度補正部２は、例えば輝度補正用のプログラムを実行する演算処理手段とこの演算処理手段の周辺回路とにより構成される。従ってこの図１に示す輝度補正部２の各ブロックは、この演算処理手段及び演算処理手段の周辺構成により構成される機能ブロックである。
【００２１】
補正部１１は、補正量決定部１２で決定した画素毎の補正量を画像データＤ１に乗算し、画像データＤ１の階調を補正して画像データＤ３を生成する。補正部１１は、この画像データＤ３と、ダミー画素制御部１３から出力される駆動データＤ２Ａ及びＤ２Ｂとを時分割多重化して画像表示パネル３に出力する。なお画像データＤ３及び駆動データＤ２Ａ、Ｄ２Ｂを時分割多重化して画像表示パネル３に入力する代わりに、画像データＤ３及び駆動データＤ２Ａ、Ｄ２Ｂを個別に画像表示パネル３に入力してもよい。
【００２２】
画像表示パネル３は、画像データＤ３で画像表示部４の画素回路５を駆動する。また駆動データＤ２Ａ及びＤ２Ｂをそれぞれダミーの画素回路５ＤＡ及び５ＤＢに入力し、この駆動データＤ２Ａ及びＤ２Ｂでダミーの有機ＥＬ素子６ＤＡ及び６ＤＢをそれぞれ発光させる。
【００２３】
劣化量算出部１４は、補正部１１から出力される画像データＤ３で階調／劣化量テーブル１５を検索し、画像データＤ３の階調に対応する劣化量を検出して出力する。ここで階調／劣化量テーブル１５は、各階調で有機ＥＬ素子を単位時間駆動した場合の劣化量を、マスタ劣化カーブ上の表示時間に換算して記録したテーブルである。この実施例では、この単位時間が、画像データＤ１の繰り返し周期である１フレームの期間に設定される。
【００２４】
累積劣化量算出部１６は、累積劣化量蓄積部１７に記録された対応する画素の累積劣化量に、劣化量算出部１４で検出される単位時間当たりの劣化量を加算して出力する。累積劣化量蓄積部１７は、この累積劣化量算出部１６で計算した劣化量を画素毎に記録して保持する。
【００２５】
補正量決定部１２は、この累積劣化量蓄積部１５に記録した画素毎の劣化量に基づいて、対応する画像データＤ１の補正値を計算する。
【００２６】
これにより輝度補正部２は、画像表示部４の画素毎に、階調／劣化量テーブル１５に記録された対応する階調の劣化量を累積して各画素の劣化量を検出し、この劣化量に基づいて各画素の階調を補正する。輝度補正部２は、この各画素の補正基準であるマスタ劣化カーブを受光素子７Ａの受光結果から作成する。また輝度補正部２は、一定の更新周期で、受光素子７Ａ及び７Ｂの受光結果に基づいて階調／劣化量テーブル１５の記録を更新する。ここでこの更新周期は、複数フレームの期間に設定される。
【００２７】
すなわち輝度補正部２において、劣化量実測部１８は、受光素子７Ａ及び７Ｂの受光結果を処理してダミーの有機ＥＬ素子６ＤＡ及び６ＤＢの発光輝度を検出し、この検出結果を出力する。
【００２８】
ダミー画素制御部１３は、劣化量実測部１８の検出結果に基づいたフィードバック制御により駆動データＤ２Ａ及びＤ２Ｂを生成して出力し、有機ＥＬ素子６ＤＡ及び６ＤＢをそれぞれ一定の発光輝度で発光させる。この実施の形態において、マスタ劣化カーブを作成する側の有機ＥＬ素子６ＤＡ側は、この一定の発光輝度が画像データＤ３の最大の階調に対応する発光輝度に設定される。また残る有機ＥＬ素子６ＤＢ側は、この一定の発光輝度が、マスタ劣化カーブを作成する側の有機ＥＬ素子６ＤＡ側とは異なる階調であり、例えば画像データＤ３の中間階調等に設定される。またダミー画素制御部１３は、更新周期で、フィードバック制御を中止し、発光輝度計測用の駆動データＤ２Ａ及びＤ２Ｂを出力する。
【００２９】
マスタ劣化カーブ生成部１９は、この更新周期で検出される有機ＥＬ素子６ＤＡの発光輝度を記録して保持し、マスタ劣化カーブを作成する。従ってこの実施の形態において、マスタ劣化カーブは、ダミーの有機ＥＬ素子６ＤＡの発光輝度の時間変化を示す特性曲線である。
【００３０】
また変換テーブル更新部２０は、この更新周期で、有機ＥＬ素子６ＤＡ及び６ＤＢの発光輝度に基づいて階調／劣化量テーブル１５を更新する。
【００３１】
〔劣化量の予測原理〕
ここで階調Ｌ及びＬｏで有機ＥＬ素子を駆動した場合の劣化量は、（１）式、図７に示すように、劣化速度変換関数ｇ（Ｌ、Ｌｏ）に比例する。従って劣化カーブｆ（ｔ、Ｌ）の時間ｔに係る逆関数をｆ-1（ｙ、Ｌ）とし、単位劣化量の劣化に要する時間を階調Ｌｏ及びＬで比較すれば、次式の関係式を得ることができる。
【００３２】
【数２】
2010139837.tif 000004
【００３３】
ここで（２）式の左辺の分母は、階調Ｌにおいて、単位劣化量の劣化に要する時間を示し、（２）式の右辺の分母は、階調Ｌｏにおいて、単位劣化量の劣化に要する時間を示すことになる。従って（２）式は、次式に示すように書き換えることができる。
【００３４】
【数３】
2010139837.tif 000005
【００３５】
ここで上述した関数ｇ（Ｌ、Ｌｏ）は、劣化速度の階調依存性を示す関数であるのに対し、この（３）式中の関数１／ｇ（Ｌ、Ｌｏ）は、単位劣化量の劣化に要する時間の階調依存性を示す関数となる。従って階調Ｌの劣化カーブｙ＝ｆ（ｔ、Ｌ）は、次式により表すことができ、図３に示すように、関数ｇ（Ｌ、Ｌｏ）の分だけ、マスタ劣化カーブｆ（ｔ、Ｌｏ）を時間軸方向に伸縮したものと見て取ることができる。
【００３６】
【数４】
2010139837.tif 000006
【００３７】
この実施の形態では、この（４）式の関係を利用して、各階調で有機ＥＬ素子を単位時間駆動した場合の劣化量を、マスタ劣化カーブ上の表示時間に換算して各有機ＥＬ素子６の劣化量を検出する。
【００３８】
〔マスタ劣化カーブによる劣化量の予測〕
ここで（４）式より、所定階調Ｌで時間ｔだけ駆動した場合の有機ＥＬ素子の劣化量は、マスタ劣化カーブの階調Ｌｏで時間ｔ／ｇ（Ｌ，Ｌｏ）だけ有機ＥＬ素子を駆動した場合の劣化量と等しくなる。
【００３９】
これに対して画像表示部４に設けられた有機ＥＬ素子６は、画像データＤ３に応じて、種々の発光輝度で種々の時間発光することになる。ここで所望の有機ＥＬ素子が、階調Ｌ（ｉ）で時間ｔ（ｉ）だけ発光したとする。このときの劣化量は、次式により示すように、発光時間ｔ（ｉ）を関数ｇ（Ｌ（ｉ）、Ｌｏ）で割り算した時間だけ、マスタ劣化カーブの階調で有機ＥＬ素子を発光させた場合と等しくなる。
【００４０】
【数５】
2010139837.tif 000007
【００４１】
なおこの場合の発光輝度ｙは、次式により表される。
【００４２】
【数６】
2010139837.tif 000008
【００４３】
そこでこの実施の形態では、階調／劣化量テーブル１５の記録に基づいて（５）式の演算処理を実行し、各有機ＥＬ素子の劣化量を検出する。
【００４４】
〔劣化関数〕
ここで有機ＥＬ素子は、階調が増大するに従って劣化速度が増大する。従ってこの実施の形態では、関数ｇ（Ｌ，Ｌｏ）を次式により定義する。従ってこの場合、有機ＥＬ素子の発光輝度がｎ倍になれば、劣化速度もｎ倍になり、単位劣化量の劣化に要する時間は１／ｎ倍になる。従ってこの場合、簡易に、階調／劣化量変換テーブル１５を設定することができる。
【００４５】
【数７】
2010139837.tif 000009
【００４６】
しかしながら有機ＥＬ素子は、輝度の変動に対して加速度的に劣化速度が変化する。従って関数ｇ（Ｌ，Ｌｏ）は、マスタ劣化カーブの階調Ｌｏに対する階調Ｌの比率を底に設定した加速度係数αによるべき乗により、次式で定義してもよい。この場合、比較的簡単な計算により、少ない情報量で、劣化量を求めることができる。
【００４７】
【数８】
2010139837.tif 000010
【００４８】
なおこれに代えて、関数ｇ（Ｌ，Ｌｏ）を次式により定義してもよい。この場合、時間加速係数αが階調依存性を有していても、精度良く劣化量を求めることができる。なおこの場合、時間加速係数α（Ｌ）は、階調Ｌの変化に対して連続して値が変化するように設定して、マスタ劣化カーブから求められる補正量の変化が不連続とならないようにする。
【００４９】
【数９】
2010139837.tif 000011
【００５０】
なおこれに代えて、次式により示すように、時間加速係数αを輝度劣化量で変化させてもよい。なお加速度係数のパラメータである輝度劣化量には、ダミーの有機ＥＬ素子６ＤＡから検出される輝度劣化量を適用することができる。この場合、時間加速係数αが輝度劣化量に依存性を有していても、精度良く劣化量を求めることができる。なおこの場合も、時間加速係数α（輝度劣化量）は、輝度劣化量の変化に対して連続して値が変化するように設定し、補正量の変化が不連続とならないようにする。
【００５１】
【数１０】
2010139837.tif 000012
【００５２】
またこれらに代えて、次式により示すように、階調Ｌ及び輝度劣化量で加速係数αを変化させてもよい。
【００５３】
【数１１】
2010139837.tif 000013
【００５４】
〔劣化量の具体的予測〕
上述の劣化量予測原理に基づいて、輝度補正部２において、階調／劣化量変換テーブル１５は、関数１／ｇ（Ｌ、Ｌｏ）の値を画像データＤ３の階調毎に記録して保持する。マスタ劣化カーブ生成部１９は、図４に示すように、更新期間毎に検出されるダミーの有機ＥＬ素子６ＤＡの発光輝度ｙを取得して記録することにより、マスタ劣化カーブｙ＝ｆ（ｔ、Ｌｏ）のサンプリング値を取得してマスタ劣化カーブを作成する。
【００５５】
劣化量算出部１４は、階調／劣化量変換テーブル１５を検索して（５）式の右辺、ｔ（ｉ）／ｇ（Ｌ（ｉ）、Ｌｏ）を検出し、累積劣化量算出部１６は、（５）式の演算処理を実行する。補正量決定部１２は、図４に示すように、累積劣化量算出部１６で求められた表示時間ｔ（Σ｛ｔ（ｉ）／ｇ（Ｌ（ｉ）、Ｌｏ）｝）により、マスタ劣化カーブ上における劣化量Δｙを検出し、対応する画像データの補正量を決定する。
【００５６】
〔階調／劣化量変換テーブルの更新〕
ここで階調／劣化量変換テーブル１５に設定する関数１／ｇ（Ｌ、Ｌｏ）の値を固定値とすると、画像表示パネル３のばらつき、関数ｇ（Ｌ、Ｌｏ）の時間変化に対応し得ず、結局、発光輝度の予測精度が低下することになる。そこで画像表示装置１では、ダミーの有機ＥＬ素子６ＤＡ及び６ＤＢの発光輝度に基づいて、更新期間毎に、変換テーブル更新部２０で階調／劣化量変換テーブル１５を更新する。
【００５７】
すなわち図５に示すように、所定の更新時点ｔ１で、ダミーの有機ＥＬ素子６ＤＡ及び６ＤＢの発光輝度がｙ０及びｙ１であった場合、これら発光輝度ｙ０及びｙ１の比率を計算して比例定数を計算する。またこの比例定数を適用して（７）式の演算処理を実行し、各階調における関数１／ｇ（Ｌ、Ｌｏ）の値を計算して階調／劣化量変換テーブル１５を更新する。
【００５８】
なお（８）式について上述したように、加速度係数αを用いて関数１／ｇ（Ｌ、Ｌｏ）を定義する場合、次式の演算処理により加速度係数αを求めることができる。従ってこの場合、この加速度係数αを用いて（８）式の演算処理を実行して各階調における関数１／ｇ（Ｌ、Ｌｏ）の値を計算し、階調／劣化量変換テーブル１５を更新する。
【００５９】
【数１２】
2010139837.tif 000014
【００６０】
これに対して（９）式により関数１／ｇ（Ｌ、Ｌｏ）を定義する場合、更新期間毎に（１２）式の演算処理で検出される加速度係数α（ｔ）を用いて、事前に設定された加速度係数α（Ｌ）を定義する一次関数等の係数を求める。またこの求めた係数を用いて各階調における関数１／ｇ（Ｌ、Ｌｏ）の値を計算し、階調／劣化量変換テーブル１５を更新する。
【００６１】
また（１０）及び（１１）式により関数１／ｇ（Ｌ、Ｌｏ）を定義する場合、更新期間毎に（１２）式の演算処理で検出される加速度係数α（ｔ、Ｌ１）と、有機ＥＬ素子６ＤＡ及び６ＤＢの劣化量とを用いて、事前に設定された加速度係数α（輝度劣化量）、α（Ｌ、輝度劣化量Ｌ）を定義する一次関数等の係数を求める。またこの求めた係数を用いて各階調における関数１／ｇ（Ｌ、Ｌｏ）の値を計算し、階調／劣化量変換テーブル１５を更新する。
【００６２】
なおこれらに代えて、（９）〜（１１）式により関数１／ｇ（Ｌ、Ｌｏ）を定義する場合、それまでの階調／劣化量変換テーブル１５の更新に使用した加速度係数α（ｔ−１、Ｌ）を使用した演算処理により、階調／劣化量変換テーブル１５の更新に使用する加速度係数α（ｔ、Ｌ）を計算してもよい。
【００６３】
具体的に、次式により示すように、加速度係数α（ｔ、Ｌ）、α（ｔ−１、Ｌ）の比率が一定であるとして、（１２）式の演算処理で求めた加速度係数α（ｔ、Ｌ１）から、各階調の加速度係数α（Ｌ）を求めてもよい。
【００６４】
【数１３】
2010139837.tif 000015
【００６５】
またこれに代えて、次式により示すように、加速度係数α（ｔ、Ｌ）、α（ｔ−１、Ｌ）の差が一定であるとして、（１２）式の演算処理で求めた加速度係数α（ｔ、Ｌ１）から、各階調の加速度係数α（Ｌ）を求めてもよい。
【００６６】
【数１４】
2010139837.tif 000016
【００６７】
〔実施の形態の動作〕
以上の構成において、この画像表示装置１では（図２）、順次入力される画像データＤ１が輝度補正部２を介して画像表示パネル３に入力される。画像表示パネル３では、この輝度補正部２を介して入力される画像データＤ３により、画像表示部４を構成する各有機ＥＬ素子６の発光輝度が設定され、これにより画像データＤ１による画像を表示する。
【００６８】
しかしながら有機ＥＬ素子６は、発光輝度が高ければ高い程、長時間使用すれば使用する程、発光効率が低下する。その結果、画像表示装置では、発光輝度の低下、色度の変動、焼き付きが発生する。
【００６９】
そこで画像表示装置１では、画像表示パネル３の画像表示部４以外の部位に、ダミーの有機ＥＬ素子６ＤＡ、受光素子７Ａが設けられ、画像表示パネル３に設けられた有機ＥＬ素子６の発光輝度の低下が輝度補正部２によりモニタされる。またこのモニタ結果に基づいて輝度補正部２により各有機ＥＬ素子６の駆動に使用する画像データＤ１の階調が補正され、これにより発光輝度の低下、色度の変動、焼き付きが防止される。
【００７０】
より具体的に、画像表示装置１では、一定の発光輝度でダミーの有機ＥＬ素子６ＤＡを発光させて、一定の更新周期で、所定の階調における有機ＥＬ素子６ＤＡの発光輝度が検出される。これにより画像表示装置１では、階調補正の基準となるマスタ劣化カーブｙ＝ｆ（ｔ、Ｌｏ）が検出される。画像表示装置１では、このマスタ劣化カーブｙ＝ｆ（ｔ、Ｌｏ）を基準にして各有機ＥＬ素子６の劣化量が検出される。画像表示装置１では、この各有機ＥＬ素子６の劣化量を補正するように、画像データＤ１の階調が補正され、その結果、発光輝度の低下、色度の変動、焼き付きが防止される。
【００７１】
しかしながら従来手法（特開２００７−１５６０４４号公報に開示の手法）により、単純に、マスタ劣化カーブｙ＝ｆ（ｔ、Ｌｏ）の劣化量を劣化速度変換関数ｇ（Ｌ，Ｌｏ）で乗算して劣化量を求めいていたのでは、種々の不都合が発生する（（１）式、図７参照）。
【００７２】
すなわち（１）式の関係を利用して各階調における発光輝度の劣化を推定する場合、マスタ劣化カーブｙ＝ｆ（ｔ、Ｌｏ）を劣化速度変換関数ｇ（Ｌ、Ｌｏ）の分だけ垂直軸方向に伸縮し、階調Ｌの劣化カーブｙ＝ｆ（ｔ、Ｌ）を求めていることになる。従ってマスタ劣化カーブｙ＝ｆ（ｔ、Ｌｏ）による発光輝度ｙが、時間ｔの増大により値０に接近すると、階調Ｌｏより大きな階調Ｌにおける劣化カーブｙ＝ｆ（ｔ、Ｌ）は、値０を横切る恐れがある。従って従来手法では、物理的な矛盾が発生することになる。
【００７３】
また従来手法の場合、画像表示部に設けられた有機ＥＬ素子の階調の変化により劣化カーブを選択して劣化量を予測していることになる。従ってたまたま所定の時点で劣化量が等しい有機ＥＬ素子が複数実在し、この複数の有機ＥＬ素子を同一の階調で駆動している場合であっても、これらの有機ＥＬ素子で劣化量が等しいことを担保できない場合が発生する。この場合も、従来手法では、物理的に矛盾が発生することになる。
【００７４】
これにより従来手法では、各有機ＥＬ素子６における発光輝度の劣化を予測する点で、実用上未だ不十分な問題があり、精度良く画質劣化を補正できない欠点がある。
【００７５】
そこで画像表示装置１では、単位劣化量の劣化に要する時間の階調依存性を示す関数１／ｇ（Ｌ、Ｌｏ）を用いて、各階調で有機ＥＬ素子を単位時間駆動した場合の劣化量を、マスタ劣化カーブ上の表示時間に換算して階調／劣化量変換テーブル１５が作成される。また一定の時間間隔で、最も劣化速度の速い最大の階調によりダミーの有機ＥＬ素子６ＤＡが駆動されてマスタ劣化カーブｙ＝ｆ（ｔ、Ｌｏ）が求められる。また画像データＤ３により階調／劣化量テーブル１５が検索され、画素毎に、劣化量が積算され、マスタ劣化カーブｙ＝ｆ（ｔ、Ｌｏ）の表示時間に換算した各画素の劣化量が、画素毎に累積される。またこの累積結果より、マスタ劣化カーブから劣化量が求められ（図４）、この劣化量を補正するように、各画素の階調が補正され、これにより発光輝度の低下、色度の変動、焼き付きを防止する。
【００７６】
この場合、画像表示装置１では、マスタ劣化カーブｙ＝ｆ（ｔ、Ｌｏ）を時間軸方向に伸縮して各階調の劣化カーブｙ＝ｆ（ｔ、Ｌ）を求めていることになる。従って時間ｔの増大により発光輝度ｙが値０に接近しても、劣化カーブｙ＝ｆ（ｔ、Ｌ）の発光輝度ｙは、値０を横切らないように設定することができる。従って従来手法における、物理的な矛盾を有効に回避することができ、その結果、劣化量を精度良く予測することができる。
【００７７】
また各画素が如何なる劣化量となっても、マスタ劣化カーブ上で劣化量を予測することになる。従って所定の時点で劣化量が等しく、同一の階調で駆動している有機ＥＬ素子については、劣化量が等しいことを確実に担保することができる。従ってこれによっても従来手法における、物理的な矛盾を有効に回避することができる。
【００７８】
その結果、画像表示装置１では、各有機ＥＬ素子６における発光輝度の予測精度を従来に比して向上することができ、確実に、発光輝度の低下、色度の変動、焼き付きを防止することができる。
【００７９】
しかしながら階調／劣化量変換テーブル１５に格納する単位時間駆動した場合の劣化量を固定した値とすると、有機ＥＬ素子６のばらつき、関数ｇ（Ｌ、Ｌｏ）の時間変化に対応し得ず、結局、予測精度が低下することになる。
【００８０】
そこで画像表示装置１では、マスタ劣化カーブの生成に供するダミーの有機ＥＬ素子６ＤＡ及び受光素子７Ａに加えて、さらにダミーの有機ＥＬ素子６ＤＢ及び受光素子７Ｂが設けられる。また画像表示装置１では、これらダミーの有機ＥＬ素子６ＤＡ及び６ＤＢの発光輝度に基づいて、更新期間毎に、各階調における関数１／ｇ（Ｌ、Ｌｏ）の値が求められ、階調／劣化量変換テーブル１５が更新される。
【００８１】
これにより画像表示装置１では、有機ＥＬ素子６のばらつき、関数ｇ（Ｌ、Ｌｏ）の時間変化に対応して階調／劣化量変換テーブル１５に記録した単位時間駆動した場合の劣化量を更新することができ、一段と精度良く劣化量を検出することができる。
【００８２】
〔実施の形態の効果〕
以上の構成によれば、複数の受光素子の受光結果を用いて、マスタ劣化カーブ上の表示時間に換算した各階調の単位時間の劣化量を逐次更新し、画像データの階調に応じてこの単位時間の劣化量を累積して発光輝度を補正することにより、発光輝度の予測精度を従来に比して格段的に向上することができる。
【００８３】
また画像表示部以外の部位にダミーの自発光素子を複数配置し、この複数のダミーの自発光素子の受光結果により、マスタ劣化カーブを作成し、さらに各階調の単位時間の劣化量を逐次更新することにより、具体的に、発光輝度の劣化の予測精度を従来に比して格段的に向上することができる。
【００８４】
またマスタ劣化カーブの階調に対する階調の比率を底に設定した加速度係数によるべき乗により、マスタ劣化カーブ上の表示時間に換算した劣化量を計算することにより、輝度の変動に対して加速度的に劣化速度が変化する場合に、比較的簡単な計算により、少ない情報量で、劣化量を求めることができる。
【００８５】
またこのとき、それまでの階調／劣化量変換テーブルの更新に使用した加速度係数を使用した演算処理により、階調／劣化量変換テーブルの更新に使用する加速度係数を計算することにより、簡易な演算処理で階調／劣化量変換テーブルを更新することができる。
【００８６】
また自発光素子が、有機ＥＬ素子であることにより、有機ＥＬ素子によるフラットディスプレイ装置に適用して、輝度劣化、色度の変化、焼き付きを防止することができる。
【００８７】
またダミー画素の自発光素子から画像表示パネルの裏面側に出射光を出射することにより、画像表示パネルを保持する筐体の構成を簡略化することができる。
【００８８】
＜第２の実施の形態＞
図６は、本発明の第２の実施の形態に係る画像表示装置を示すブロック図である。この画像表示装置２１において、第１の実施の形態の画像表示装置１と同一の構成は、対応する符号を付して示し、重複した説明は省略する。
【００８９】
この実施の形態の画像表示装置２１は、マスタ劣化カーブの作成に使用するダミーの有機ＥＬ素子６ＤＡを、画像データＤ３の最高階調以外の所定階調であって、ダミーの有機ＥＬ素子６ＤＢとは異なる階調で駆動する。この実施の形態の画像表示装置２１は、このダミーの有機ＥＬ素子６ＤＡの駆動に関する構成が異なる点を除いて、第１の実施の形態と同一に構成される。
【００９０】
ここでこの階調は、固定階調であってもよく、ダミーの有機ＥＬ素子６ＤＢと共に種々に可変してもよい。固定階調の場合には、例えば中間階調、最も低い階調等を適用することができる。なお固定階調によりダミーの有機ＥＬ素子を駆動すれば、システム構成を簡略化することができる。
【００９１】
これに対して階調を可変する場合、例えば一定のパターンにより周期的に階調を可変し、又はランダムに階調を可変し、これにより画像データＤ３と無関係に階調を可変してもよい。この場合、実際の画像表示の状態に近い状態でマスタ劣化カーブを実測できることから、精度良く劣化カーブを予測することができる。また階調を可変する場合、画像データＤ３の平均階調、画像表示部の特定画素の階調等に設定し、画像データＤ３に応じてダミーの有機ＥＬ素子６ＤＡ及び６ＤＢの階調を可変してもよい。この場合、実際に表示する画像データに応じてダミーの有機ＥＬ素子６ＤＡ及び６ＤＢの階調を設定できることから、精度良く劣化カーブを予測することができる。
【００９２】
しかしながらこのように画像データＤ３の最高階調より低い階調でダミーの有機ＥＬ素子６ＤＡ及び６ＤＢを駆動する場合、現在時点より将来については、これら有機ＥＬ素子６ＤＡ及び６ＤＢの受光結果からマスタ劣化カーブを生成し得ない。その結果、第１の実施の形態の手法によっては、マスタ劣化カーブより劣化速度の速い画素について、マスタ劣化カーブ上で劣化量を検出できなくなる。
【００９３】
そこでこの実施の形態において、マスタ劣化カーブ生成部２９は、ダミーの有機ＥＬ素子６ＤＡ及び６ＤＢに対応する有機ＥＬ素子を一定の階調で発光させた場合の発光輝度の時間変化を示すマスタカーブを記録して保持する。なおダミーの有機ＥＬ素子６ＤＡ及び６ＤＢを固定階調で表示する場合にあっては、マスタカーブの階調とこの固定階調とが等しいことが望ましいものの、これらの階調が異なるように設定してもよい。マスタ劣化カーブ生成部２９は、更新周期で検出されるダミーの有機ＥＬ素子６ＤＡ及び６ＤＢの発光輝度に基づいて、現在時点までのマスタ劣化カーブを生成する。またマスタ劣化カーブ生成部２９は、マスタカーブを補正して現在時点以降のマスタ劣化カーブを生成する。
【００９４】
具体的に、マスタ劣化カーブ生成部２９は、次式により示すように、マスタカーブの輝度値Ｆ（ｔ、Ｌｏ）を所定の比率で乗算して現在時点以降のマスタ劣化カーブｆ（ｔ、Ｌｏ）を生成する。ここでこの比率は、現在時間Ｔｏにおけるマスタカーブの輝度値Ｆ（Ｔｏ、Ｌｏ）とマスタ劣化カーブの輝度値ｆ（Ｔｏ、Ｌｏ）との比率である。
【００９５】
【数１５】
2010139837.tif 000017
【００９６】
またこれに代えて、次式により示すように、現在時間Ｔｏにおけるマスタ劣化カーブの劣化量（１−ｆ（Ｔｏ、Ｌｏ））とマスタカーブの劣化量（１−Ｆ（Ｔｏ、Ｌｏ）との比率でマスタカーブの劣化量（１−Ｆ（ｔ、Ｌｏ））を乗算して現在時点以降のマスタ劣化カーブｆ（ｔ、Ｌｏ）を生成してもよい。
【００９７】
【数１６】
2010139837.tif 000018
【００９８】
またこれに代えて、次式により示すように、マスタカーブの輝度値Ｆ（ｔ、Ｌｏ）に所定値を加算して現在時点以降のマスタ劣化カーブを生成してもよい。ここで所定値は、現在時間Ｔｏにおける輝度値の差分値（ｆ（Ｔｏ、Ｌｏ）−Ｆ（Ｔｏ、Ｌｏ））である。
【００９９】
【数１７】
2010139837.tif 000019
【０１００】
またこれに代えて、次式により示すように、現在時間Ｔｏにおける劣化量の差分値（（１−ｆ（Ｔｏ、Ｌｏ））−（１−Ｆ（Ｔｏ、Ｌｏ）））を加算してマスタ劣化カーブｆ（ｔ、Ｌｏ）を生成してもよい。
【０１０１】
【数１８】
2010139837.tif 000020
【０１０２】
なおこのようにマスタ劣化カーブの作成に使用するダミーの有機ＥＬ素子６ＤＡを、画像データＤ３の最高階調より低い階調Ｌｏで発光させる場合、この階調Ｌｏより高い階調Ｌの加速度係数αについては、低い階調の受光結果に基づいて計算することになる。従ってこの場合には、（１２）〜（１３）式の手法を適用して加速度係数αを計算するようにして、簡易な演算処理により発光輝度の予測精度を確保することができる。
【０１０３】
この実施の形態によれば、ダミー画素の階調を種々に設定してマスタ劣化カーブを生成することにより、一段と精度良く発光輝度の劣化量を予測することができる。
【０１０４】
またマスタカーブを用いて現在時点以降のマスタ劣化カーブを生成することにより、マスタ劣化カーブの連続性を維持して、劣化速度の速い画素についても、精度良く発光輝度の劣化量を予測することができる。
【０１０５】
＜第３の実施の形態＞
この実施の形態の画像表示装置は、画像表示部に近接して配置された受光素子により、ダミー画素の有機ＥＬ素子に代えて、画像表示部の有機ＥＬ素子の発光輝度を検出する。この実施の形態の画像表示装置は、この受光素子に関する構成が異なる点を除いて、上述の第１又は第２の実施の形態と同一に構成される。
【０１０６】
画像表示装置は、このため例えばこの画像表示装置の電源起動時等において、動作モードを切り換え、発光輝度の劣化量測定のための所定パターンを画像表示部で表示する。またこの所定パターンの受光結果によりマスタ劣化カーブを生成する。また併せて階調／劣化量変換テーブルを更新する。従ってこの場合、可変する時間間隔によりマスタ劣化カーブを作成し、階調／劣化量変換テーブルを更新することになる。この場合、特定の階調で安定して輝度検出することができる。
【０１０７】
なおこれに代えて、画像データの階調をモニタし、画像データが特定の階調となった場合に、発光輝度を検出してマスタ劣化カーブを生成する等の一連の処理を実行してもよい。
【０１０８】
またこれに代えて、発光輝度の階調依存性を示すデータを記録して保持し、受光素子を介して検出される発光輝度をこのデータにより補正してマスタ劣化カーブを生成する等の一連の処理を実行してもよい。
【０１０９】
この実施の形態では、ダミーの有機ＥＬ素子に代えて、画像表示部の発光輝度を検出することにより、一段と精度良く発光輝度の劣化を予測することができる。
＜変形例＞
なお上述の第１及び第２の実施の形態では、画像表示部の有機ＥＬ素子及びダミー画素の有機ＥＬ素子をトップエミッション方式及びボトムエミッション方式により作成する場合について述べた。しかしながら本発明はこれに限らず、画像表示部の有機ＥＬ素子及びダミー画素の有機ＥＬ素子をボトムエミッション方式及びトップエミッション方式により作成してもよい。
【０１１０】
また実用上十分に、画像表示パネルを配置する筐体の構成を簡略化できる場合には、ダミー画素の有機ＥＬ素子については、有機ＥＬ層を挟持する上下電極の双方を透明電極により作成し、出射面及び裏面の双方に出射光を出射してもよい。また画像表示部の有機ＥＬ素子及びダミー画素の有機ＥＬ素子の双方を、トップエミッション方式又はボトムエミッション方式により作成してもよい。
【０１１１】
さらに上述の実施の第１及び第２の形態では、受光素子を画像表示パネルの裏面に配置する場合について述べたが、本発明はこれに限らず、画像表示パネル内に配置してもよい。
【０１１２】
また上述の第１及び第２の実施の形態では、補正部で階調を補正した画像データにより階調／劣化量変換テーブルを検索して劣化量を検出する場合について述べた。しかしながら本発明はこれに限らず、補正部で階調を補正する前の画像データにより階調／劣化量変換テーブルを検索して劣化量を検出してもよい。なおこの場合、この補正部で階調を補正する前の画像データによる劣化量の検出に対応するように、ダミー画素制御部１３による発光輝度のフィードバック制御を中止してもよい。
【０１１３】
また上述の実施の形態では、画素毎に、劣化量を累積して補正値を設定する場合について述べた。しかしながら本発明はこれに限らず、複数画素毎に、劣化量を累積して補正値を設定する場合、画像表示パネルの全画面に共通に補正値を設定する場合等にも広く適用することができる。
【０１１４】
また上述の実施の形態では、全階調でそれぞれ有機ＥＬ素子を発光させた場合の劣化量をテーブルに格納する場合について述べた。しかしながら本発明はこれに限らず、実用上十分に精度を確保できる場合には、複数階調毎に劣化量をテーブルに格納し、この複数階調毎の劣化量を用いて各画素の劣化量を予測してもよい。
【０１１５】
また上述の実施の形態では、画像表示領域の画素に共通に、階調／劣化量変換テーブルを設定する場合について述べた。しかしながら本発明はこれに限らず、画像表示領域を区分して設定した領域毎に、階調／劣化量変換テーブルを設定してもよく、またこれに対応して領域毎に、関数１／ｇ（ｔ、Ｌ）、加速度係数αを計算してもよい。
【０１１６】
また上述の実施の形態では、フレーム単位で、補正量を設定する場合について述べた。しかしながら本発明はこれに限らず、例えば複数フレームの平均輝度で階調／劣化量変換テーブルを検索するようにして、複数フレーム単位で、補正量を設定するようにしてもよい。
【０１１７】
また上述の第１及び第２の実施の形態では、２つのダミー画素の受光結果で画像表示パネルに設けられた全画素の発光輝度を補正する場合について述べた。しかしながら本発明はこれに限らず、画像表示パネルを所定領域に区切り、領域毎にそれぞれダミー画素を設けて発光輝度を補正する場合にも広く適用することができる。またこれに代えて、色毎に、ダミーの画素を設け、各色の発光輝度を対応する受光結果で補正する場合にも広く適用することができる。
【０１１８】
また上述の実施の形態では、２つの受光素子の受光結果で対応する領域の発光輝度を補正する場合について述べた。しかしながら本発明はこれに限らず、３つ以上の受光素子の受光結果で対応する領域の発光輝度を補正するようにしてもよい。
【０１１９】
また上述の実施の形態では、有機ＥＬ素子による自発光素子で画像表示パネルを構成する場合について述べたが、本発明はこれに限らず、種々の自発光素子で画像表示パネルを構成する場合に広く適用することができる。
【０１２０】
また上述の実施の形態では、それぞれ好適な画像表示装置の構成を説明したが、本発明はこれらの構成に限らず、必要に応じて上述の構成を組み合わせて画像表示装置を構成してもよい。
【産業上の利用可能性】
【０１２１】
本発明は、例えば有機ＥＬ（Electro Luminescence）素子等の自発光素子を用いたアクティブマトリックス型の画像表示装置に適用することができる。
【図面の簡単な説明】
【０１２２】
【図１】本発明の第１の実施の形態の画像表示装置の詳細構成を示すブロック図である。
【図２】本発明の第１の実施の形態の画像表示装置を示す図である。
【図３】マスタ劣化カーブと劣化カーブとの関係を示す特性曲線図である。
【図４】劣化量の検出の説明に供する特性曲線図である。
【図５】加速度係数の算出の説明に供する特性曲線図である。
【図６】本発明の第２の実施の形態の画像表示装置を示すブロック図である。
【図７】従来手法による劣化量の検出の説明に供する特性曲線図である。
【符号の説明】
【０１２３】
１、２１……画像表示装置、２……輝度補正部、３……画像表示パネル、６、６ＤＡ及び６ＤＢ……有機ＥＬ素子、７Ａ及び７Ｂ……受光素子、１２……補正量決定部、１５……階調／劣化量変換テーブル、１６……累積劣化量算出部、１９……マスタ劣化カーブ生成部
【図１】
2010139837.tif 000021
【図２】
2010139837.tif 000022
【図３】
2010139837.tif 000023
【図４】
2010139837.tif 000024
【図５】
2010139837.tif 000025
【図６】
2010139837.tif 000026
【図７】
2010139837.tif 000027